(57)【特許請求の範囲】
【請求項１】
レンズ鏡筒口径の異なるレンズ毎に設けた複数種のアダプタ部であって、１個の円形穴を有しレンズに前記円形穴を介して常時固着する前記アダプタ部と、
前記アダプタ部の前方に形成された、内側フードを着脱自在に装着するためのフード固定部と、
複数の第一の板材を環状に結合し前記第一の板材の結合された各辺に沿って折り畳める前後開口部を有し、前記フード固定部に装着可能な前記内側フードと、
前記内側フードの外側にスライドして繰り出し可能に嵌合された二層構造を形成する、複数の第二の板材を前記第一の板材２個の厚さに等しい遊び部を介して環状に結合し、かつ前記第二の板材の結合された各辺に沿って折り畳み可能な前後開口部を有する外側フードとよりなり、
使用時には前記アダプタ部にレンズを固着した後、前記アダプタ部の前記フード固定部を前記内側フードに装着すると共に、前記内側フードの外側に前記外側フードを繰り出し可能に嵌合して全体フード長を可変とし、
未使用時には前記内側フードを前記フード固定部より取り外して、前記内側フードに前記外側フードを嵌合した状態で折り畳む、
該複数種の前記アダプタ部の前記内側フードとの装着形状を同一とすることにより複数の前記アダプタ部の各々が前記内側フードに着脱自在に嵌合するモジュラー構造であることを特徴とするレンズフード機構。
【発明の詳細な説明】
【０００１】
【発明の属する技術分野】
本発明は、カメラ撮影レンズに取り付けて使用するレンズフードに関するものである。
【０００２】
【従来の技術】
従来のレンズフードは、直接レンズ鏡筒先端部外側又は内側ネジ部に固定する円筒型レンズフード、板状の遮光部とそれを一定位置に固定するフレキシブルな支え棒状の支持部が一体となった構造で支持部をレンズ鏡筒部またはカメラ本体に固定し遮光部を光源とレンズの間に位置設定して遮光する板状型レンズフード、矩形開口部を持つ蛇腹フードをレンズ鏡筒部又はカメラ本体に取り付け適時蛇腹を繰り出して遮光する蛇腹型レンズフードが代表的である。
【０００３】
【本発明が解決しようとする課題】
前記円筒型レンズフードにおいては、複数のレンズフードをレンズ鏡筒の口径別に揃え携帯しなければならず、かさばるという問題がある。又開口部形状が円形であるレンズフードでは、開口部形状が矩形であるレンズフードと比較して遮光効果が劣るという問題がある。前記板状型レンズフードにおいては、その設定位置角度への不要光しか遮光できず遮光効果が前記円筒型レンズフード、前記蛇腹型レンズフードに比較して劣るという問題がある。
【０００４】
前記蛇腹型レンズフードにおいては、優れた遮光効果が得られるが、機構が複雑であり重くかさばり、取り付けに時間がかかり、また操作も複雑であるといった問題がある。
【０００５】
焦点距離または鏡筒口径の異なる複数レンズに一種類のフードを取り付ける別の方法において、レンズへの取り付けにバネを用いた形式、使用レンズのうち最も大きな鏡筒口径が取り付けられる大きさの取り付け穴を有し、取り付け穴に中心方向に向かって設けられた複数のネジにより取り付ける方法がある。前記バネによる方法は、物理的強度上弱いという問題があり、前記ネジによる取り付け方法は正確な中心位置に取り付けることが困難であり、又取り付けが面倒であるという問題がある。
【０００６】
本発明の目的は上記問題を解決し、かさばらず携帯性に優れ、取り付けが迅速に行え、操作が容易で、優れた遮光効果が得られるレンズフードを提供することである。
【０００７】
【課題を解決するための手段】
本発明の要旨とするところは１個の円形穴を有しレンズに前記円形穴を介して常時固着するアダプタ部と、複数の第一の板材を環状に結合した前後開口部を有する内側フードよりなり、前記内側フードを前記アダプタ部に着脱自在に嵌合することである。
すなわち焦点距離または鏡筒口径の異なる複数レンズに一種類のフードを取り付け可能とするため、第一に、レンズフード機構をアダプタ部とフード部の２個の要素に分けたモジュラー構造とした。第二に、前記アダプタ部と前記フード部間を結合する装着形状寸法を同一とした。
第三に、同一装着形状寸法を持つ複数の前記アダプタ部は、焦点距離または鏡筒口径の異なる複数のレンズの各々に常に固着することとした。よって、同一装着形状寸法を持つ任意の前記フード部が任意の前記アダプタ部に装着できるようになった。
【０００８】
前記フード部は前記内側フードと外側フードよりなる。前記内側フードはさらに複数の遮光性を有する前記第一の板材よりなり、前記第一の板材は互いの隣り合う辺を蝶番可動するように環状に結合されている。前記内側フードのレンズ側すなわち後方開口部は前記同一装着形状寸法となっている。任意の前記内側フードは任意の前記アダプタ部に着脱することができる。
前記アダプタ部はレンズ鏡筒に常時固着するのに十分な大きさの円形穴を有し、前記アダプタ部のフード保持部は前記内側フード後方開口部と補完的に一致しており、よって、前記同一装着形状寸法に一致している。
【０００９】
前記フード部の装着を容易迅速に行うため、複数の、光軸側に向かって曲折したテーパ部が前記アダプタ部に設けられている。前記テーパ部の各々は、前記テーパ部先端が被写体側に向かい、前記テーパ部先端の他端が、前記アダプタ部の前記光軸と直角をなす放射方向外側の各頂点に固着されている。
【００１０】
装着をより確実にするため、１個以上のフード固定部が前記アダプタ部に設けられている。前記フード固定部の各々は、１個の第一の弾性体と前記第一の弾性体上に同一方向に固着された傾斜面を先端に有する１個以上の固定ピンよりなり、前記第一の弾性体は、前記アダプタ部の前記各頂点の前記光軸側に位置し、前記固定ピンは前記傾斜面を前記被写体側に露出しながら前記アダプタ部の前記光軸と直角をなす放射方向外側に向かい且つ前記各頂点で形成する面を交差するように前記アダプタ部に固着され、装着時には前記固定ピンの各々は、前記第一の弾性体により前記内側フードの内壁を圧下し、脱着時は前記第一の弾性体を逆方向に引くことにより解除される。
【００１１】
フード繰出量を可変とするため、前記内側フードと嵌合し繰り出し可能な二層構造を形成する、複数の第二の板材を環状に結合した前後開口部を有する外側フードが前記フード部に設けられている。前記外側フードは遮光材である第二の板材よりなり、複数の前記第二の板材は互いの隣り合う辺を蝶番可動するように環状に結合されている。よって、前記内側フードが前記アダプタ部に確実に装着されていると、前記外側フードは前記内側フードに沿って動き全体フード長を可変とすることができる。
【００１２】
二層構造の前記フード部の折り畳みを可能とするため、結合されている前記外側フードの前記第二の板材間に隙間を維持するため、結合されている前記第二の板材間各々に隙間を維持する、折り畳み時の前記内側フードの厚みと等しい長さの遊び部が設けられている。
次に、前記第二の板材の前記光軸と直角を成す辺の各々は、前記外側フードの内側面の周囲長が前記アダプタ部装着時には前記内側フードの前記外側フードとの接面の周囲長と等しくなるような長さとした。よって、前記フード部は隙間なく密接しながら繰り出しができ且つ折り畳み可能となる。
【００１３】
折り畳み時、前記フード部の厚みを減らすため、１個以上の前記第一の板材の外側表面に凹部を設けた。前記凹部による空間は後記位置調整部の厚みの一部を吸収する。よって格納時は前記フード部は極めてコンパクトとなり優れた運搬性を得ることができる。
【００１４】
使用時にフード繰り出し量を所定の位置で固定保持するため、１個以上の位置調整部が前記フード部に設けられてる。前記位置調整部は、１個の長板と、前記長板の一面端に設けた１個の摩擦面と、前記長板中央に設けた１個の回転軸と、前記回転軸に回転力を与えるように設けた１個の第二の弾性体よりなり、前記回転軸は前記第二の板材の前記レンズ側に前記光軸と直角に設けた長穴の中央に前記摩擦面が前記光軸側となるように軸支され、前記第二の弾性体は前記第二の板材と作用する。
常に、前記摩擦面は前記第二の弾性体により前記内側フードの外面に押されることにより前記外側フード位置は固定保持されているが、２個の前記長板の他端に指をかけて押すことにより前記長板の前記摩擦面が前記内側フード外面より離れ、前記外側フードは繰り出し可能となる。
【００１５】
遮光効果を最大化するためには、フード前開口部の形状がフィルム寸法比に一致していなければならない。このため、複数の前記第二の板材の前記被写体側先端に突出部を設け、フィルム寸法比に近似するようにした。
【００１６】
【発明の実施の形態】
以下図面により、本発明の実施形態を示す。図１はアダプタ部１００の斜視図である。アダプタ部１００はベース１と４個のフード保持部４よりなる。
前記ベース１は中心にレンズ鏡筒先端部が挿入可能な寸法の円形穴２があり、挿入されたレンズ鏡筒先端部にアダプタ部１００を固着するための４個のネジ穴３が設けられている。図１の光軸Ｋの後方Ｒより前方Ｆに図示されていないレンズ鏡筒先端部を円形穴２に挿入し、４個のネジ穴３によりネジにてアダプタ部１００をレンズ鏡筒先端部へ固着する。
【００１７】
このときに用いるネジは弾力性を有したプラステック素材を用いることによりレンズ鏡筒先端部が必要以上のネジ締め圧力により損傷しないようにすることができる。
【００１８】
別の方法として、複数のアダプタ部１００の円形穴２の内径は一定とし、レンズ鏡筒口径の異なるレンズ毎に円形穴２の内径とレンズ鏡筒先端部の外径の間の空間を埋めるための補完リングをアダプタ部１００の各々に設けてもよい。
【００１９】
アダプタ部１００をレンズ鏡筒に固着する方法は、前記の方法に限定することなく、大型蛇腹カメラにおいてカメラ本体にレンズを取り付ける方法として用いられているレンズボードに一体化させる事によって実施してもよいし、アダプタ部１００とレンズを一体化させることによって実施してもよい。
【００２０】
ベース１の四角の各々には光軸Ｋと並行に前方Ｆに向かい断面Ｌ字形のフード保持部４が設けられている。フード保持部４の各々はの後記フード部を摩擦力にて安定保持するに必要な幅と長さを持っている。本実施形態で、４個のフード保持部４が形成する前記同一装着形状は正方形である。
【００２１】
図２は開いた状態のフード部２００の斜視図である。フード部２００は内側フード２２０と外側フード２３０よりなる。外側フード２３０側面には、各々位置調整部５００が設けられている。
図３は開いた状態の内側フード２２０の斜視図である。内側フード２２０は４個の遮光性を有する第一の板材２１が４個の第一のヒンジ２２によって内側から互いに環状に結合されている。よって内側フード２２０は折り畳み可能である。板材２１の各々は矩形であり互いに合同である。
内側フード２２０の前方Ｆの開口部と後方Ｒの開口部は同一寸法であり、直角に開いた状態では、後方Ｒの開口部はフード保持部４と着脱自在に嵌合し、これはフード長が異なるであろう複数の内側フード２２０間での前記同一装着形状寸法でもある。よって任意の内側フード２２０は任意のアダプタ部１００に装着可能である。本実施形態では、内側フード２２０の後方Ｒの開口部は正方形である。
【００２２】
別の方法として、４個以上の板材を用いて異なる装着形状を有した折り畳み可能なフードを構成することも可能である。例えば６角形、８角形等の多角形の前後開口部を有する筒状フードを構成することができる。
【００２３】
図１に示すように、上部の２個のフード保持部４の各々はフィルタを挿入するための切り込み部６を有する。２個の鍔部９の各々はベース１の垂直辺の各々に沿って位置するように設けられている。この構成で、２個の鍔部９はフィルタ又はシート状レンズキャップ等の薄板を挿入する隙間を提供する。
切り込み部６より挿入された薄膜よりなるフィルタは左右の鍔部９の隙間を滑り落ちて下部の２個のフード保持部４により保持される。その後フード部２００は装着されフィルタを包囲する。これは屋外での風雨からのフィルタ保護に効果的である。
格納時は、挿入可能であるが挿入すると隙間との摩擦により保持される程度の厚みを持ったフィルタと同一形状の薄板をレンズキャップとして用いることができる。
【００２４】
図１に示すように、４個のテーパ部７の各々はフード保持部４の各々の先端に設けられ、且つ、内側すなわち光軸Ｋ側に向かって曲折していて、その先端は前方Ｆに向いている。このテーパ部７はフード部２００装着時のガイドの役割を果たすものである。よって、フード部２００が装着される時、テーパ部７はフード部２００を容易迅速に前記同一装着形状寸法面に導く。
【００２５】
図４はフード固定部４００の斜視図である。２個の前記フード固定部４００はアダプタ部１００に設けられている。フード固定部４００は第一の弾性体１１と弾性体１１の一端面に固着された２個の固定ピン１３よりなる。
固定ピン１３の各々は内側フード２２０の内壁に向かうように設けられている。弾性体１１の各々は、アダプタ部１００へ固着するための２個の取り付け穴１２を有する。図１、図４に示すように、弾性体１１の各々はフード保持部４の光軸Ｋ側から固着されている。フード保持部４の各々は固定ピン１３を通す固定ピン穴８を有している。
【００２６】
図５はアダプタ部１００の上部右側のフード保持部４とフード固定部４００の部分平面図である。図６は図５の側面図である。図７は図５の正面図である。固定ピン１３の各々の先端は傾斜面１４を持ち傾斜面１４は前方Ｆに露出している。さらに、傾斜面１４の各々は前記同一装着形状面を横切るように位置している。
図３に示すように、各々の板材２１の後方Ｒの光軸Ｋ側に２個の固定溝２５が設けられている。よって１個の内側フード２２０には合計８個の固定溝２５が設けられている。固定溝２５の各々の位置は、内側フード２２０がアダプタ部１００に縦横いずれに装着された状態でも固定ピン１３の各々の位置と一致するようになっている。
【００２７】
装着のため、内側フード２２０がフード保持部４が定める前記同一装着形状面に沿って挿入される時、固定ピン１３の各々は内側フード２２０の内壁により光軸Ｋ側に押され固定溝２５が固定ピン１３に達するまで押され続ける。達すると、固定ピン１３は固定溝２５に噛み合い確実な装着が完了する。
【００２８】
図１に示すように、アダプタ部１００はベース１の後方Ｒの左右辺に２個のフード止め５を有している。フード止め５の各々は、操作時、内側フード２２０の後方Ｒの端を固定することにより装着安定性を増す。
装着時のアダプタ部１００とフード部２００間の強度を増すため、アダプタ部１００の周辺を巡らして板材２１の後方Ｒの外面端と噛み合うような光軸Ｋと並行となる突出辺を設けてもよい。
【００２９】
脱着には、前記フード部２００の前方Ｆの開口部より内部に片手を入れ２個の弾性体１１に指をかけ光軸Ｋ方向に引くことにより４個の固定ピン１３が固定溝２５より外れ、前記フード部２００はアダプタ部１００より迅速容易に取り外すことができる。
【００３０】
図８は開いた状態の外側フード２３０の斜視図である。外側フード２３０は４個の遮光材よりなる第二の板材３１が４個の第二のヒンジ３２によって内側から互いに環状に結合されている。よって外側フード２３０は折り畳み可能である。板材３１の各々は矩形であり互いに合同である。
図２に示すように、フード部２００は外側フード２３０が内側フード２２０に挿入された二層構造を有している。開いた状態で、外側フード２３０は内側フード２２０に嵌合するような寸法となっており、よって外側フード２３０を光軸Ｋに沿って内側フード２２０上をスライドさせることによりフード繰り出しが可能となる。外側フード２３０の前方Ｆの開口部形状も又正方形である。
【００３１】
図９はフード部２００の折り畳んだ状態の背面図である。図９は説明のため板材２１、板材３１、突出部４１の厚さを誇張して表している。二層構造のフード部２００を折り畳み可能とするため、ヒンジ３２は遮光材よりなる遊び部３３を有している。
本実施形態では、全て４個の遊び部３３の長さは折り畳んだ内側フード２２０の厚みと一致している。すなわち、ヒンジ２２は板材２１内面に埋め込まれ内側表面が均一となっているため、遊び部３３の長さは２個の板材２１の厚みに等しい。
【００３２】
図１０は開いた状態のフード部２００の背面図である。図１０は説明のため板材２１、板材３１、突出部４１の厚さを誇張して表している。開いた状態で外側フード２３０が内側フード２２０に嵌合するためには、外側フード２３０の内側面の周囲長は内側フード２２０の外側フード２３０との接面の周囲長と等しくならなければならない。
よって、本実施形態では、遊び部３３の長さのため、板材３１の光軸Ｋと直角の辺長は板材２１の同辺長より、遊び部３３の長さから開いた状態での板材２１の隣り合う外側頂点間の長さを減じた長さだけ、短くなければならない。すなわち、板材２１の光軸Ｋと直角の辺長をＭ、板材２１の厚みをＤとし、板材３１の光軸Ｋと直角の辺長をＮとすると、遊び部３３の長さは２Ｄであり、板材２１の隣り合う外側頂点間の長さはＤに２の平方根を乗じた値であり、これを１．４Ｄと見なすと２Ｄ−１．４Ｄ＝０．６Ｄとなる。すなわち、Ｎ＝Ｍ−０．６Ｄとなる。
【００３３】
図９に示すように、本実施形態で、前記フード部２００が折り畳まれた状態では、外側フード２３０の内側面の周囲長は内側フード２２０の外側面の周囲長より長くなる。よって二層構造を持つフード部２００は折り畳み可能となる。
【００３４】
図３に示すように、板材２１の各々は外側表面に矩形の凹部２３を有している。この構造は、機械的強度を維持しながら位置調整部５００の作動空間を与えることにより折り畳み時のフード部２００全体の厚みを減じるのに効果がある。
【００３５】
図８に示すように、相対する２個の板材３１の各々は長穴３５を有している。長穴３５の長辺の各々の長さは凹部２３の光軸Ｋと直角の辺と等しくなっている。内側フード２２０と外側フード２３０の両者の後方Ｒの端が一致している状態で、長穴３５の後方Ｒの長辺は凹部２３の光軸Ｋと直角の後方Ｒの辺と一致している。
【００３６】
図３に示すように、板材２１の各々は凹部２３面端に光軸Ｋと並行な辺に沿って２個の摩擦帯２４を有する。
【００３７】
図１１は光軸Ｋ側から見た位置調整部５００の背面図である。図１１は説明のため位置調整部５００を拡大して表している。２個の位置調整部５００の各々は２個の前記長穴３５に設けられている。位置調整部５００の各々は摩擦面３８を一面端に有する長穴３５と形状が一致した長板３７、長板３７の中央に設けられた回転軸３６、回転軸３６を回転させる第二の弾性体３９よりなる。
位置調整部５００は摩擦面３８の各々が摩擦帯２４と相対するように回転軸３６を介して長穴３５の中央に光軸Ｋと並行に軸支されている。弾性体３９は回転軸３６に沿って設けられており両端は板材３１に固着されている。
常時は、摩擦面３８の各々は摩擦帯２４の各々に接触しており、よって、フード繰り出し位置は固定されているが、弾性体３９の弾性力に抗して長板３７の他端を光軸Ｋ方向に押すと摩擦接触が解除され、よって外側フード２３０はスライドが可能となり繰り出し量を調整することができる。
【００３８】
２個の摩擦面３８は相対しており、従ってフード繰り出し操作は片手で長板３７の摩擦面３８端と反対側の二端を押さえながら繰り出し、必要な位置にて手を離せば固定される。
図８に示すように、本実施形態では、フード繰り出し片手操作は下側から行うが、装着位置を９０度ずつ回転すれば、上下左右いずれの側からでも行うことができる。
【００３９】
繰り出しを過度に行った場合に外側フード２３０が内側フード２２０から抜け落ちることを防ぐため、図８に示すように、２個の脱着止め３４が上下２個の板材３１の光軸Ｋ側の後方Ｒに、板材２１と凹部２３の各端で噛み合うよう設けられている。
【００４０】
図２、図８に示すように、外側フード２３０は、上下２個の板材３１の前方Ｆの端の各々に付加された２個の突出部４１を有する。本実施形態では、突出部４１の形状は台形である。
本実施形態で、外側フード２３０の開口部によって遮られる入射光線の輪郭は使用されるフィルム寸法比を近似するようになっており、よって優れた遮光効果が得られる。
【００４１】
本実施形態では、前記同一装着形状が正方形であるため、フード部２００は縦横いずれでもアダプタ部１００への装着が可能となっている。大型蛇腹カメラではフィルム縦横の切り替えはフィルムホルダーを９０度回転することによって行うが、この場合フード部２００を９０度回転して装着することによって対応可能である。
【００４２】
優れた遮光効果を得るために、別の方法として、フード部の開口断面形状をフィルム寸法比に合致した長方形としてもよい。そして回転が必要な場合はフード部の内側に本実施形態のような装着形状が正方形となるような案内溝を持った折り畳み可能なフード部として実施してもよい。
【００４３】
図１２は本実施形態のフード部２００がレンズに固着したアダプタ部１００に装着した状態の側面図である。外側フード２３０は内側フード２２０より繰り出されている。
【００４４】
【発明の効果】
本発明によればフード部を折り畳んで格納するため、複数の交換レンズを携帯する場合などに、本レンズフード機構により優れた携帯性、優れた操作性、優れた遮光効果を得ることが可能である。
【図面の簡単な説明】
【図１】本実施施形態のアダプタ部の斜視図である。
【図２】本実施形態のフード部の開いた状態の斜視図である。
【図３】本実施形態の内側フードの開いた状態の斜視図である。
【図４】本実施形態のフード固定部の斜視図である。
【図５】本実施形態の被写体側から見てアダプタ部の上部右側のフード保持部とフード固定部の部分平面図である。
【図６】図５の側面図である。
【図７】図５の正面図である。
【図８】本実施形態のフード部の外側フードの開いた状態の斜視図である。
【図９】本実施形態のフード部の折り畳んだ状態の背面図である。
【図１０】本実施形態のフード部の開いた状態の背面図である。
【図１１】本実施形態の位置調整部の光軸側から見た背面図である。
【図１２】本実施形態のフード部がレンズに固着したアダプタ部に装着した状態の側面図である。
【符号の説明】
１          ベース
２          円形穴
３          ネジ穴
４          フード保持部
５          フード止め
６          切り込み部
７          テーパ部
８          固定ピン穴
９          鍔部
１１        第一の弾性体
１２        取り付け穴
１３        固定ピン
１４        傾斜面
２１        第一の板材
２２        第一のヒンジ
２３        凹部
２４        摩擦帯
２５        固定溝
３１        第二の板材
３２        第二のヒンジ
３３        遊び部
３４        脱着止め
３５        長穴
３６        回転軸
３７        長板
３８        摩擦面
３９        第二の弾性体
４１        突出部
１００      アダプタ部
２００      フード部
２２０      内側フード
２３０      外側フード
４００      フード固定部
５００      位置調整部
【図１】
0004016329.tif 000002
【図２】
0004016329.tif 000003
【図３】
0004016329.tif 000004
【図４】
0004016329.tif 000005
【図５】
0004016329.tif 000006
【図６】
0004016329.tif 000007
【図７】
0004016329.tif 000008
【図８】
0004016329.tif 000009
【図９】
0004016329.tif 000010
【図１０】
0004016329.tif 000011
【図１１】
0004016329.tif 000012
【図１２】
0004016329.tif 000013